(57)【特許請求の範囲】
【請求項１】
ハンドピースヘッド部の収容領域内に、回転駆動される切削工具を下端面中央部から突出状態に、かつ、着脱可能に保持するカートリッジハウジングを備える歯科用ハンドピースにおいて、
前記カートリッジハウジングの上部を被う蓋体の雄ネジと、前記ハンドピースヘッド部の上端筒状部内壁に設けた雌ネジとが着脱可能な螺合結合であって、
前記蓋体の周壁部に設けた雄ネジ終端部にリング状の弾性部材の内周部側を遊嵌する第１の凹状溝を、前記ハンドピースヘッド部の上端筒状部内壁に設けた雌ネジ入端部に前記蓋体をハンドピースヘッド部にねじ締め付けした際に前記第１の凹状溝と対向配置となり前記リング状の弾性部材の外周部側を収容する第２の凹状溝を設け、
前記蓋体のねじ緩みとともにこの蓋体に連動して変位する前記リング状の弾性部材の前記第１、第２の凹状溝の内壁との接触による接触抵抗力を生じさせる構成とし、
前記リング状の弾性部材はＣリングであって、前記Ｃリングは弾性を有するステンレス鋼線材を曲げ加工し、全体として拡縮機能を有する形状とするともに、前記ステンレス鋼線材に対して外側に膨出する複数の曲げ膨出突部を分離配置に設け、
前記第２の凹状溝を画する壁面に対して前記Ｃリングの外周部が全周接触ではなく、各曲げ膨出突部の外周側が接触し、各曲げ膨出突部以外の外周側は接触せず隙間を形成する非連続接触状態で当接するとともに、
前記Ｃリングの内周部も前記第１の凹状溝の壁面に対してその内周部が全周接触ではなく、隙間を形成する非連続接触状態で当接するように構成したことを特徴とする歯科用ハンドピース。
【請求項２】
ハンドピースヘッド部の収容領域内に、回転駆動される切削工具を下端面中央部から突出状態に、かつ、着脱可能に保持するカートリッジハウジングを備える歯科用ハンドピースにおいて、
前記カートリッジハウジングの上部を被う蓋体の周壁部に設けた雄ネジと、前記ハンドピースヘッド部の上端筒状部内壁に設けた雌ネジとが着脱可能な螺合結合であって、
前記蓋体の周壁部に設けた雄ネジ終端部にリング状の弾性部材の内周部側を遊嵌する第１の凹状溝を、前記ハンドピースヘッド部の上端筒状部内壁に設けた雌ネジ入端部に前記蓋体をハンドピースヘッド部にねじ締め付けした際に前記第１の凹状溝と対向配置となり前記リング状の弾性部材の外周部側を収容する第２の凹状溝を設け、
前記蓋体のねじ緩みとともにこの蓋体に連動して変位する前記リング状の弾性部材の前記第１、第２の凹状溝の内壁との接触による接触抵抗力を生じさせる構成とするとともに、
前記上端筒状部の内周にはその上端から前記第２の凹状溝の上端近傍に至る下向き傾斜形状の座ぐり部を設け、
前記リング状の弾性部材はＣリングであって、前記Ｃリングは弾性を有するステンレス鋼線材を曲げ加工し、全体として拡縮機能を有する形状とするともに、前記ステンレス鋼線材に対して外側に膨出する複数の曲げ膨出突部を分離配置に設け、
前記第２の凹状溝を画する壁面に対して前記Ｃリングの外周部が全周接触ではなく、各曲げ膨出突部の外周側が接触し、各曲げ膨出突部以外の外周側は接触せず隙間を形成する非連続接触状態で当接するとともに、
前記Ｃリングの内周部も前記第１の凹状溝の壁面に対してその内周部が全周接触ではなく、隙間を形成する非連続接触状態で当接するように構成したことを特徴とする歯科用ハンドピース。
【請求項３】
ハンドピースヘッド部の収容領域内に、回転駆動される切削工具を下端面中央部から突出状態に、かつ、着脱可能に保持するカートリッジハウジングを備える歯科用ハンドピースにおいて、
前記カートリッジハウジングの上部を被う蓋体の周壁部に設けた雄ネジと、前記ハンドピースヘッド部の上端筒状部内壁に設けた雌ネジとが着脱可能な螺合結合であって、
前記蓋体の周壁部に設けた雄ネジ終端部にリング状の弾性部材の内周部側を遊嵌する第１の凹状溝を、
前記ハンドピースヘッド部の上端筒状部内壁に設けた雌ネジ入端部に前記蓋体をハンドピースヘッド部にねじ締め付けした際に前記第１の凹状溝と対向配置となり前記リング状の弾性部材の外周部側を収容する第２の凹状溝を設け、
前記蓋体のねじ緩みとともにこの蓋体に連動して変位する前記リング状の弾性部材の前記第１、第２の凹状溝の内壁との接触による接触抵抗力を生じさせる構成とするとともに、
前記上端筒状部の内周にはその上端から前記第２の凹状溝の上端近傍に至る下向き傾斜形状の座ぐり部を設け、
前記ハンドピースヘッド部の上端筒状部外側に連結したハンドピースアーム受部に螺合され、その頭部外周を前記蓋体の周壁部に当接させて上端筒状部側に抑え込む蓋体抑えネジを設け、
前記リング状の弾性部材はＣリングであって、前記Ｃリングは弾性を有するステンレス鋼線材を曲げ加工し、全体として拡縮機能を有する形状とするともに、前記ステンレス鋼線材に対して外側に膨出する複数の曲げ膨出突部を分離配置に設け、
前記第２の凹状溝を画する壁面に対して前記Ｃリングの外周部が全周接触ではなく、各曲げ膨出突部の外周側が接触し、各曲げ膨出突部以外の外周側は接触せず隙間を形成する非連続接触状態で当接するとともに、
前記Ｃリングの内周部も前記第１の凹状溝の壁面に対してその内周部が全周接触ではなく、隙間を形成する非連続接触状態で当接するように構成したことを特徴とする歯科用ハンドピース。
【発明の詳細な説明】
【技術分野】
【０００１】
本発明は、歯科用ハンドピースに関し、詳しくは、ハンドピースヘッド部とねじ結合した蓋体のねじ緩みによる脱落を防止するようにした歯科用ハンドピースに関するものである。
【背景技術】
【０００２】
歯科用ハンドピースにおいて、ハンドピースヘッド部内のカートリッジハウジング等の内部パーツの交換のためにハンドピースヘッド部とねじ結合した蓋体を開け閉めする際に、この蓋体が緩み脱落する可能性がある。
【０００３】
このため、従来においては、蓋体のねじに綴み止め機構や接着剤を施して、蓋体を固定し脱落防止を図っていたが、蓋体の着脱を何回も繰り返す場合、緩み止め機構や接着剤の劣化や剥離により蓋体が緩み脱落してしまう事態が多く生じていた。
【０００４】
また、別部品である小ねじを採用して蓋体を止め付けるようにした製品もあるが、場合によっては小ねじの紛失、損傷等で蓋体を固定できないことや小ねじ固定後の脱落も想定され、歯科用ハンドピースにおける蓋体の脱落を確実に防止することは困難であった。
【０００５】
工場修理であれば、ねじ部への緩み止め機構の付加や接着剤塗布等の再処理が可能であるが、ユーザー先での現地交換の場合、再処理は困難である。
【０００６】
特許文献１には、ハンドピースヘッド部の上部には、このハンドピースヘッド部内に装着されたカートリッジハウジングの上部を被う蓋体が着脱可能に嵌着され、蓋体の内底突部を前記カートリッジハウジングにおける回転軸の上面に当接させるとともに、蓋体の内底の下側で、かつ、回転軸の周りに配置したコイルばねにより、前記回転軸を介してカートリッジハウジングを下方に向けて、すなわち、前記ハンドピースヘッド部と一体化するように付勢する構成としたカートリッジ式の歯科用ハンドピースが開示されている。
【０００７】
しかし、特許文献１の歯科用ハンドピースの場合、ハンドピースヘッド部に対して、その内部に装着されたカートリッジハウジングの上部を被う蓋体を例えば、ねじ結合により着脱可能に嵌着する構成を採用しており、前記蓋体のハンドピースヘッド部に対するねじ緩みについては格別の配慮はなされていない。
【０００８】
特許文献２には、ハウジングと、該ハウジング内に回転自在に装着されたチャック機構と、該チャック機構を前記ハウジング内に回転自在に固定するためのベアリング及び該ベアリングを支える中蓋とを有する歯科用ハンドピースヘッドにおいて、前記中蓋は前記ハウジングの内周部に螺合する螺合ネジを有する２つの縦続結合された中蓋部材から成り、これら２つの中蓋部材は、前記螺合ネジとは逆方向に螺合する螺合ネジ部を通して、相互に相手方の凹部に落し込まれて一体化されている構成の歯科用ハンドピースのヘッド部構造が開示されている
【０００９】
しかし、特許文献２の歯科用ハンドピースのヘッド部構造の場合、２つの中蓋部材の緩み止めは実現できるものの構造が複雑であり、また、上部の中蓋と、この上部の中蓋のさらに上方に配置され、ハウジングの上端側を覆う押し蓋と一体的な上蓋とはねじ結合であり、前記上蓋のねじ緩みについては格別の配慮はなされていない。
【先行技術文献】
【特許文献】
【００１０】
【特許文献１】特開２０１４−９０８９２号公報
【特許文献２】特開平１０−２１１２１５号公報
【発明の概要】
【発明が解決しようとする課題】
【００１１】
本発明が解決しようとする問題点は、複雑な緩み止め機構や接着剤等を使用しない簡略安価な構成の基にハンドピースヘッド部とねじ結合した蓋体のねじ緩みによる脱落を的確に防止し得るような歯科用ハンドピースが存在しない点である。
【課題を解決するための手段】
【００１２】
本発明は、ハンドピースヘッド部の収容領域内に、回転駆動される切削工具を下端面中央部から突出状態に、かつ、着脱可能に保持するカートリッジハウジングを備える歯科用ハンドピースにおいて、前記カートリッジハウジングの上部を被う蓋体の雄ネジと、前記ハンドピースヘッド部の上端筒状部内壁に設けた雌ネジとが着脱可能な螺合結合であって、前記蓋体の周壁部に設けた雄ネジ終端部にリング状の弾性部材の内周部側を遊嵌する第１の凹状溝を、前記ハンドピースヘッド部の上端筒状部内壁に設けた雌ネジ入端部に前記蓋体をハンドピースヘッド部にねじ締め付けした際に前記第１の凹状溝と対向配置となり前記リング状の弾性部材の外周部側を収容する第２の凹状溝を設け、前記蓋体のねじ緩みとともにこの蓋体に連動して変位する前記リング状の弾性部材の前記第１、第２の凹状溝の内壁との接触による接触抵抗力を生じさせる構成としたことを最も主要な特徴とする。
【発明の効果】
【００１３】
請求項１記載の発明によれば、蓋体側の第１の凹状溝、ハンドピースヘッド部側の第２の凹状溝間にリング状の弾性部材を介在させるという簡略安価な構造の基に、前記弾性部材のねじ緩み状態における接触抵抗力により、従来例のような接着剤等のねじ緩み止め構造を施す必要性を無くしつつ前記蓋体がねじ緩み状態になったとしても完全に脱落することを的確に防止することができる歯科用ハンドピースを提供することができる。
そして、特に前記リング状の弾性部材はＣリングであって、前記Ｃリングは弾性を有するステンレス鋼線材を曲げ加工し、全体として拡縮機能を有する形状とするともに、前記ステンレス鋼線材に対して外側に膨出する複数の曲げ膨出突部を分離配置に設け、前記第２の凹状溝を画する壁面に対して前記Ｃリングの外周部が全周接触ではなく、各曲げ膨出突部の外周側が接触し、各曲げ膨出突部以外の外周側は接触せず隙間を形成する非連続接触状態で当接するとともに、前記Ｃリングの内周部も前記第１の凹状溝の壁面に対してその内周部が全周接触ではなく、隙間を形成する非連続接触状態で当接するように構成したことにより、前記リング状の弾性部材のＣリングが前記上端筒上部の中心に対して均等に配置されることになり、前記蓋体のねじ緩みが生じても、前記Ｃリングが第２の凹状溝から外れ難くなり、前記蓋体がねじ緩み状態になったとしても、その完全脱落を的確に防止することができる。
【００１４】
請求項２記載の発明によれば、請求項１記載の発明と同様な効果を奏するとともに、ハンドピースヘッド部の上端筒状部の内周にはその上端から前記第２の凹状溝の上端近傍に至る下向き傾斜形状の座ぐり部を設けたことにより、蓋体のねじ込み動作の際に前記蓋体の第１の凹状溝に遊嵌したリング状の弾性部材を何等支障なく円滑に第２の凹状溝内に臨ませねじ緩み状態における接触抵抗力を発揮させることができる歯科用ハンドピースを提供することができる。
【００１５】
請求項３記載の発明によれば、前記請求項２記載の作用効果を奏するとともに請求項２記載の発明の構成に加えて、前記ハンドピースヘッド部の上端筒状部外側に連結したハンドピースアーム受部に螺合され、その頭部外周を前記蓋体の周壁部に当接させて上端筒状部側に抑え込む蓋体抑えネジを付加した構成として、仮に蓋体抑えネジの付け忘れや、脱落が発生し、さらに蓋体のねじ緩みが生じたような場合でも、前記弾性部材のねじ緩み状態における接触抵抗力により、それ以上の蓋体のねじ緩みを防止することができ、その状態が保持されれば蓋体のねじ緩みによる製品の異音や振動により使用者が当該蓋体のねじ緩みを感知することができ、蓋体の脱落による大きな事故を防ぐことが可能な歯科用ハンドピースを提供することができる。
【図面の簡単な説明】
【００２０】
【図１】図１は本発明の実施例に係る歯科用ハンドピースにおけるハンドピースヘッド部の分解斜視図である。
【図２】図２は本実施例に係る歯科用ハンドピースにおけるハンドピースヘッド部に螺合する蓋体及びＣリングの分解斜視図である。
【図３】図３は本実施例に係る歯科用ハンドピースにおけるハンドピースヘッド部、蓋体及び弾性部材であるＣリングを示す部分拡大断面図である。
【図４】図４は図３に示すＡ部をさらに拡大して示す部分拡大断面図であり、図４（ａ）は蓋体のねじ締め付け状態、図４（ｂ）は蓋体のねじ緩み状態を示すものである。
【図５】図５は本実施例におけるＣリングを装着した蓋体のハンドピースヘッド部に対するねじ締め付け状態を示す部分断面図である。
【図６】図６は本実施例におけるＣリングを装着した蓋体の正面図、平面図、底面図、左側面図、右側面図及び背面図を示す説明図である。
【図７】図７は本実施例における弾性部材であるＣリングの他例及びその配置状態を示す概略説明図である。
【図８】図８は本実施例に係る歯科用ハンドピースにおけるハンドピースヘッド部に螺合する蓋体及びこの蓋体の第１の凹状溝に遊嵌する弾性部材の変形例に係るＯリングを示す分解斜視図である。
【図９】図９は本実施例の変形例に係る歯科用ハンドピースにおけるハンドピースヘッド部、蓋体及びＣリングを示す部分拡大断面図である。
【図１０】図１０は本実施例に係る歯科用ハンドピースにおけるハンドピースヘッド部、蓋体及び別の変形例に係るＣリングを示す拡大横断面図である。
【図１１】図１１は図１０に示す別の変形例に係るＣリングの平面図である。
【発明を実施するための形態】
【００２１】
本発明は、複雑な緩み止め機構や接着剤等を使用しない簡略安価な構成の基にハンドピースヘッド部とねじ結合した蓋体のねじ緩みによる脱落を的確に防止できる歯科用ハンドピースを提供するという目的を、ハンドピースヘッド部の収容領域内に、回転駆動される切削工具を下端面中央部から突出状態に、かつ、着脱可能に保持するカートリッジハウジングを備える歯科用ハンドピースにおいて、前記カートリッジハウジングの上部を被う蓋体の周壁部に設けた雄ネジと、前記ハンドピースヘッド部の上端筒状部内壁に設けた雌ネジとが着脱可能な螺合結合であって、前記蓋体の周壁部に設けた雄ネジ終端部にリング状の弾性部材の内周部側を遊嵌する第１の凹状溝を、前記ハンドピースヘッド部の上端筒状部内壁に設けた雌ネジ入端部に前記蓋体をハンドピースヘッド部にねじ締め付けした際に前記第１の凹状溝と対向配置となり前記リング状の弾性部材の外周部側を収容する第２の凹状溝を設け、前記蓋体のねじ緩みとともにこの蓋体に連動して変位する前記リング状の弾性部材の前記第１、第２の凹状溝の内壁との接触による接触抵抗力を生じさせる構成とするとともに、前記上端筒状部の内周にはその上端から前記第２の凹状溝の上端近傍に至る下向き傾斜形状の座ぐり部を設けた構成により実現した。
【実施例１】
【００２２】
以下に本発明の実施例に係る歯科用ハンドピースについて図面を参照して詳細に説明する。
本実施例に係る歯科用ハンドピース１は、図１乃至図５に示すように、上端側に外形が円形状の上端筒状部３（クロスハッチングを付して示す）を備えるとともに、この上端筒状部３の内側から下端内部に至る範囲に収容領域４を形成し、前記収容領域４内に回転駆動される切削工具２２を下端面中央部から下方に向けた突出状態に、かつ、着脱可能に保持するカートリッジハウジング２１を収容するように構成したハンドピースヘッド部２を有している。
【００２３】
そして、前記ハンドピースヘッド部２の収容領域４に前記カートリッジハウジング２１を収容した状態で、上端筒状部３に対してその上方から上端側を閉塞した略円筒状の蓋体１１を螺合し、締め付けることで、前記カートリッジハウジング２１をその上部を外部から遮蔽しつつハンドピースヘッド部２内に一体的に固定連結し、かつ、前記蓋体１１の前記上端筒状部３に対する螺合解除を行うことで前記カートリッジハウジング２１をハンドピースヘッド部２から上方に取り出し可能に構成している。
【００２４】
すなわち、前記蓋体１１は、円筒状の周壁部１２と、この周壁部１２の内部に一体に形成した前記カートリッジハウジング２１の上端面領域２１ａに当接させるカートリッジハウジング抑え円板部１３と、円筒状の周壁部１２の上端開口部に密に装着され上端開口部を完全に閉塞する上端閉塞円板部１４と、を具備している。
【００２５】
前記蓋体１１における周壁部１２の外周部には、前記上端閉塞円板部１４から突出する方向の略中間位置に、外壁部が下側に至るほど緩やかに漸増するテーパー状形態で側方に突出する突設周壁部１２ａを設け、この突設周壁部１２ａの下面を平坦な当接段部１２ｂとして、この蓋体１１をハンドピースヘッド部２に螺合し、締め付けたとき前記当接段部１２ｂを前記上端筒状部３の上端面に圧接させる構造としている。
【００２６】
さらに、前記蓋体１１における周壁部１２の外周部には、前記当接段部１２ｂの下側に位置する配置で、例えばステンレス製でリング状に形成され、径方向の拡縮機能を有する弾性部材であるＣリング１７の内周部側を遊嵌する例えば断面コ状（又は断面逆コ状）の第１の凹状溝１５を設け、この第１の凹状溝１５の直下から前記周壁部１２の突出端に至る雄ネジ１６を設けている。
【００２７】
すなわち、前記第１の凹状溝１５は、前記雄ネジ１６の雄ネジ終端部に設けている。
【００２８】
一方、前記ハンドピースヘッド部２の上端筒状部３の内壁には、その上端近傍に位置する配置で、前記蓋体１１の周壁部１２をハンドピースヘッド部２に螺合し、締め付けした際に、前記第１の凹状溝１５と対向配置となり前記Ｃリング１７の外周部側を収容する例えば断面逆コ状（又は断面コ状）の第２の凹状溝５を設け、さらに、第２の凹状溝５の下側に前記雄ネジ１６と螺合させる雌ネジ６を設けている。
【００２９】
すなわち、前記第２の凹状溝５は、前記雌ネジ６の雌ネジ始端部に設けている。
【００３０】
また、前記上端筒状部３の内周には、その上端から前記第２の凹状溝５の上端近傍に至るに従い内径が縮径する下向き傾斜形状の座ぐり部７を設けている。
【００３１】
前記ハンドピースヘッド部２における上端筒状部３の外周の一部には、ハンドピースアーム受部８（クロスハッチングを付して示す）が設けられ、このハンドピースアーム受部８にハンドピースアーム部３１を一体的に取り付けるように構成している。
【００３２】
また、前記ハンドピースアーム受部８には、図１に示すように、前記上端筒状部３の外周近傍に位置する配置でネジ孔９がその上面から下方に向けて螺設され、このネジ孔９に皿ネジ状とした蓋体抑えネジ１０をねじ込み、締め付けることによって、前記蓋体抑えネジ１０のテーパー状の頭部外周を前記蓋体１１の突設周壁部１２ａに当接させ、前記蓋体１１を前記ハンドピースヘッド部２における上端筒状部３側に抑え込む構造としている。
【００３３】
尚、本実施例に係る歯科用ハンドピース１の全体構成については図示省略する。また、図１において、８ａはネジ孔９の周辺に配置したねじ込みガイド片である。
【００３４】
図６は、本実施例に係る歯科用ハンドピース１におけるＣリング１７を遊嵌した蓋体１１の正面図、平面図、底面図、左側面図、右側面図及び背面図を示すものである。
【００３５】
次に、本実施例に係る歯科用ハンドピース１の作用効果について、前記蓋体１１の前記ハンドピースヘッド部２に対するねじ込み動作、及び、前記蓋体１１のねじ緩みが生じた際の前記ハンドピースヘッド部２からの脱落防止動作を主にし、場合を分けて説明する。
【００３６】
（蓋体１１のハンドピースヘッド部２に対するねじ込み動作）
まず、ハンドピースヘッド部２の収容領域４にカートリッジハウジング２１を収容した後、その上方からＣリング１７を第１の凹状溝１５に遊嵌した蓋体１１の雄ネジ１６を前記上端筒状部３に設けた雌ネジ６に螺合し、締め付ける。
【００３７】
このとき、ハンドピースヘッド部２に対して蓋体１１を締め付ける際に、Ｃリング１７の外周側は座ぐり部７の傾斜した壁面に当接し、徐々に縮径して一旦第１の凹状溝１５内に埋没する状態となって座ぐり部７の領域を通過する。
【００３８】
次いで、第１の凹状溝１５と第２の凹状溝５とが対向する位置まで蓋体１１の締め付けが進行すると、前記Ｃリング１７は座ぐり部７の壁面による拘束から解放されて拡径し、その外周部が第２の凹状溝５内に収容される状態となる。
【００３９】
このように本実施例においては、前記座ぐり部７を設けることによって、蓋体１１のねじ込み動作の際に前記蓋体１１の第１の凹状溝１５に遊嵌したＣリング１７を何等支障なく円滑に第２の凹状溝５内に臨ませることができる。
【００４０】
また、この状態では、前記カートリッジハウジング抑え円板部１３がカートリッジハウジング２１の上端面領域２１ａに密に当接し、前記カートリッジハウジング２１をその上部を外部から遮蔽しつつハンドピースヘッド部２内に一体的に固定連結する。
【００４１】
さらに、前記ネジ孔９に蓋体抑えネジ１０をねじ込み、締め付けることによって、前記蓋体１１を前記ハンドピースヘッド部２における上端筒状部３側に抑え込む構成としている。これらの状態を図３に示している。
【００４２】
（蓋体１１のねじ緩みが生じた際のハンドピースヘッド部２からの脱落防止動作）
次に、前記蓋体１１に何等かの要因（例えば歯科用ハンドピース１の多数回の使用等）でねじ緩みが生じた際の動作について説明する。
【００４３】
前記蓋体１１の雄ネジ１６と、前記雌ネジ６とがねじ締め付け状態とされた後、前記雄ネジ１６と、前記雌ネジ６との間にねじ緩みが生じると、このねじ緩みに伴い、前記蓋体１１は図４（ａ）に示す状態から図４（ｂ）に示すように、前記ハンドピースヘッド部２における上端筒状部３の上方へ（すなわち、脱落する方向に）徐々に変位する。
【００４４】
このとき、前記Ｃリング１７の下部は第１の凹状溝１５の下部内壁に押されて上方へ変位しようとし、他方前記Ｃリング１７の上部（外周側上部）は前記第２の凹状溝５の上部内壁に圧接し、これにより、前記Ｃリング１７による前記蓋体１１の脱落を阻止するための接触抵抗力が生じ、それ以上のねじ緩みを防止することができる。
【００４５】
そして、このような状態が保持されれば、蓋体１１が完全に脱落する前にねじ緩みによる製品異音や振動により、ユーザーがねじ緩みを認知し、対応することが可能となるため、前記蓋体１１の完全脱落による大きな事故の発生に至ることがなくなる。
【００４６】
すなわち、本実施例の歯科用ハンドピース１においては、前記第１の凹状溝１５、第２の凹状溝５間に前記Ｃリング１７を介在させるという簡略安価な構造の基に、仮に蓋体抑えネジ１０の付け忘れや、脱落が発生し、さらに蓋体１１のねじ緩みが生じたような場合でも、前記Ｃリング１７のねじ緩み状態における接触抵抗力により、それ以上の蓋体のねじ緩みを防止することができ、その状態が保持されれば蓋体のねじ緩みによる製品の異音や振動により使用者が当該蓋体のねじ緩みを感知することができ、蓋体の脱落による大きな事故を防ぐことが可能となる。
【００４７】
図７は本実施例における弾性部材であるＣリング１７の他例であるＣリング１７Ａを採用し、このＣリング１７Ａを前記第１の凹状溝１５、第２の凹状溝５間に介在させる構成を示すものである。
【００４８】
前記Ｃリング１７Ａは、例えばステンレス製で、内周を円弧状に、外周を６個の辺を有する多角形状部分を形成して全体としてＣ形状に形成され、外周に中心から等距離の合計７個の角部１８を有し、拡縮機能を発揮する構成としている。
【００４９】
そして、このＣリング１７Ａの内周を前記第１の凹状溝１５に遊嵌し、前記蓋体１１のねじ締め付け状態において外周の各角部１８を前記第２の凹状溝５内に容易に収納し、かつ、第２の凹状溝５の内周部に対して各角部１８を（Ｃリング１７Ａの角部１８を形成する線状の部分を）確実に接触させる構成としている。
【００５０】
このようなＣリング１７Ａを採用することにより、既述したＣリング１７の場合と同様な作用、効果を発揮させることが可能であるとともに、前記Ｃリング１７Ａが前記上端筒状部３の中心に対して均等に配置されることになり、前記蓋体１１のねじ緩みが生じても前記Ｃリング１７Ａが第２の凹状溝５から外れ難くなり、前記蓋体１１がねじ緩み状態になったとしてもその完全脱落を的確に防止することができる。
【００５１】
前記Ｃリング１７Ａにおいては、外周を６個の辺を有する多角形状部分を形成して全体としてＣ形状に形成され、外周に中心から等距離の合計７個の角部１８を有する構成としたが、これに限定されるものではなく、外周の辺の数、角部１８の数は種々に設定でき、
例えば 外周に２個の辺を有する多角形状部分を形成して全体としてＣ形状とし、外周に中心から等距離の合計３個の角部１８を有する構成としたり、外周に４個の辺を有する多角形状部分を形成して全体としてＣ形状とし、外周に中心から等距離の合計５個の角部１８を有する構成としたり等、種々の変形が可能であり、このような場合も上述した場合と同様な効果を発揮させることができる。前記角部１８の数は、少なくとも３個あることが前記蓋体１１の脱落防止効果を発揮させる上で好ましい。
【００５２】
図８は、本実施例に係る歯科用ハンドピース１におけるハンドピースヘッド部２に螺合する蓋体１１及びこの蓋体１１の第１の凹状溝１５に遊嵌する弾性部材の変形例に係る例えばステンレス製で拡縮機能を有するＯリング１９を示すものである。
【００５３】
このようなＯリング１９を採用することによっても、既述したＣリング１７の場合と同様な作用、効果を発揮させることが可能となる。
【００５４】
前記Ｏリング１９の場合も、図示していないが、外周形状を前記Ｃリング１７Ａの場合と同様な種々の形態とすることも可能である。
【００５５】
図９は本実施例の変形例に係る歯科用ハンドピース１Ａにおけるハンドピースヘッド部２、蓋体１１及びＣリング１７を示すものである。
【００５６】
尚、図９に示す歯科用ハンドピース１Ａにおいて、既述した実施例に係る歯科用ハンドピース１の場合と同一の要素には同一の符号を付し、その詳細説明は省略する。
【００５７】
図９に示す歯科用ハンドピース１Ａは、基本的構成は実施例に係る歯科用ハンドピース１の場合と同様であるが、前記ハンドピースアーム受部８に設けたねじ込みガイド片８ａ、ネジ孔９、及び、前記蓋体抑えネジ１０を省略した構成としたものである。
【００５８】
図９に示す歯科用ハンドピース１Ａによっても、前記第１の凹状溝１５、第２の凹状溝５間に前記Ｃリング１７を介在させるという簡略安価な構造の基に、前記Ｃリング１７のねじ緩み状態における接触抵抗力により、従来例のような接着剤等のねじ緩み止め構造を施す必要性を無くしつつ前記蓋体１１がねじ緩み状態になったとしても完全に脱落することを的確に防止することができる。
【００５９】
また、図９に示す歯科用ハンドピース１Ａにおいても、前記Ｃリング１７に替えて前記Ｃリング１７Ａ又はＯリング１９を採用した構成とし、既述した場合と同様な効果を発揮させることができる。
【００６０】
さらに、上述したＣリング１７、１７Ａ、Ｏリング１９を、各々ステンレス製とすることで、優れた耐久性を発揮させ、かつ、オートクレーブにも対応できる仕様の歯科用ハンドピース１、又は、歯科用ハンドピース１Ａを提供することができる。
【００６１】
上述したＣリング１７は、例えばステンレス鋼線材のようなバネ材を曲げ加工して形成することができ、その形状も円形状に限定されるものではなく、多角形状とすることもできる。
【００６２】
上述したＣリング１７Ａも、例えばステンレス鋼線材のようなバネ材を加工して形成することができ、この場合外周側にのみならず内周側も多角形状とすることもできる。さらに、角部１８がＲ形状になっていてもよい。
【００６３】
前記Ｏリング１９についても、上述したようなステンレス鋼線材を用いたＣリング１７又はＣリング１７Ａの場合と同様な構成とすることができる。
【００６４】
次に、図１０、図１１を参照して本実施例歯科用ハンドピース１におけるハンドピースヘッド部２、蓋体１１及び別の変形例に係るＣリング１７Ｂについて説明する。
【００６５】
図１０に示す歯科用ハンドピース１は、図１、図３に示す歯科用ハンドピース１と同様な構成であるが、別の変形例に係る弾性部材であるＣリング１７Ｂを前記蓋体１１の第１の凹状溝１５と、ハンドピースヘッド部２の第２の凹状溝５の間に配置し、既述した場合と同様に、前記Ｃリング１７Ｂの蓋体１１のねじ緩み状態における接触抵抗力により、従来例のような接着剤等のねじ緩み止め構造を施す必要性を無くしつつ前記蓋体１１がねじ緩み状態になったとしても完全に脱落することを的確に防止するようにしたことが特徴である。
【００６６】
前記Ｃリング１７Ｂは、図１０、図１１に示すように、例えば弾性を有するステンレス鋼線材２３を曲げ加工し、全体として略Ｃ形を呈し拡縮機能を有する形状とするともに、前記ステンレス鋼線材２３に対して外側に膨出する複数の曲げ膨出突部２４を分離配置（例えば３箇所分離配置）に設けて、このＣリング１７Ｂを、前記第１の凹状溝１５と、前記第２の凹状溝５との間に配置したとき、各曲げ膨出突部２４の外周側が対象部位である前記第２の凹状溝５を画する壁面に面接触で当接するように構成している。
【００６７】
また、前記Ｃリング１７Ｂにおける各曲げ膨出突部２４の最も外側に膨出する各部位は、このＣリング１７Ｂの中心から等距離となるように形成し、これにより、このＣリング１７Ｂを前記蓋体１１の第１の凹状溝１５と、ハンドピースヘッド部２の第２の凹状溝５の間に配置したとき、前記上端筒状部３の中心と前記Ｃリング１７Ｂの中心が合致するように構成している。
【００６８】
上述したように、前記Ｃリング１７Ｂは、前記第２の凹状溝５を画する壁面に対してその外周部が全周接触ではなく、各曲げ膨出突部２４の外周側が接触し、各曲げ膨出突部２４以外の外周側は接触せず隙間２５を形成する非連続接触状態で当接するように構成している。
【００６９】
このとき、必然的に、前記Ｃリング１７Ｂの内周部も前記第１の凹状溝１５の壁面に対してその内周部が全周接触ではなく、隙間２５を形成する非連続接触状態で当接するようになる。
【００７０】
このようなＣリング１７Ｂを採用することにより、既述したＣリング１７の場合と同様、前記Ｃリング１７Ｂが前記上端筒状部３の中心に対して均等に配置されることになり、前記蓋体１１のねじ緩みが生じても前記Ｃリング１７Ｂが第２の凹状溝５から外れ難くなり、前記蓋体１１がねじ緩み状態になったとしてもその完全脱落を的確に防止することができる。
【００７１】
図９に示す歯科用ハンドピース１Ａにおいても、前記Ｃリング１７Ｂを採用した構成とすることももちろん可能である。
【００７２】
また、図示していないが、図１０、図１１に示すようなＣリング１７Ｂと同様な構成を採用したＯリングを採用することも可能である。
【産業上の利用可能性】
【００７３】
本発明の歯科用ハンドピースにおけるリング状の弾性部材を用いた蓋体脱落防止機構は、カートリッジ式でハンドピースヘッド部にねじ結合で固定する蓋体を有する各種の歯科用ハンドピースにおける蓋体のねじ緩みによる脱落防止や、さらには、ねじ結合で相互連結を行う各種機構部品におけるねじ緩みによる部品脱落防止を図る用途に広範に適用可能である。
【符号の説明】
【００７４】
１    歯科用ハンドピース
１Ａ  歯科用ハンドピース
２    ハンドピースヘッド部
３    上端筒状部
４    収容領域
５    第２の凹状溝
６    雌ネジ
７    座ぐり部
８    ハンドピースアーム受部
８ａ  ねじ込みガイド片
９    ネジ孔
１０    蓋体抑えネジ
１１    蓋体
１２    周壁部
１２ａ  突設周壁部
１２ｂ  当接段部
１３    カートリッジハウジング抑え円板部
１４    上端閉塞円板部
１５    第１の凹状溝
１６    雄ネジ
１７    Ｃリング
１７Ａ  Ｃリング
１７Ｂ  Ｃリング
１８    角部
１９    Ｏリング
２１    カートリッジハウジング
２１ａ  上端面領域
２２    切削工具
２３    ステンレス鋼線材
２４    曲げ膨出突部
２５    隙間
３１    ハンドピースアーム部
【図１】
0006734634.tif 000002
【図２】
0006734634.tif 000003
【図３】
0006734634.tif 000004
【図４】
0006734634.tif 000005
【図５】
0006734634.tif 000006
【図６】
0006734634.tif 000007
【図７】
0006734634.tif 000008
【図８】
0006734634.tif 000009
【図９】
0006734634.tif 000010
【図１０】
0006734634.tif 000011
【図１１】
0006734634.tif 000012